(57)【要約】【課題】オペレーターが用紙束を排紙トレイから給紙トレイへ移動し易いように、排紙トレイへ用紙を排出する印刷装置、印刷システム、印刷装置の制御プログラム、および印刷装置の制御方法を提供する。【解決手段】本発明は、用紙に画像を印刷する印刷装置であって、少なくとも１つの排紙トレイ６１〜６３および制御部８０を有する。排紙トレイ６１〜６３は、印刷された用紙を載置する。制御部８０は、上記印刷装置または他の印刷装置が上記用紙に再度印刷する場合、上記用紙の種類ごとに仕分けして少なくとも１つの排紙トレイ６１〜６３に上記用紙を排出するように制御する。【選択図】図６
2014084193.tif 000002
【特許請求の範囲】
【請求項１】
用紙に画像を印刷する印刷装置であって、
印刷された用紙を載置する少なくとも１つの排紙トレイと、
前記印刷装置または他の印刷装置が前記用紙に再度印刷する場合、前記用紙の種類ごとに仕分けして前記少なくとも１つの排紙トレイへ前記用紙を排出するように制御する制御部と、を有する、印刷装置。
【請求項２】
前記排紙トレイを複数個有し、
前記制御部は、前記印刷装置または他の印刷装置が前記用紙に再度印刷する場合、前記用紙を排出する先の前記排紙トレイを前記用紙の種類ごとに切り替える一方で、前記印刷装置または他の印刷装置が前記用紙に再度印刷しない場合、前記用紙を排出する先の前記排紙トレイを切り替えないことを特徴とする請求項１に記載の印刷装置。
【請求項３】
前記制御部は、前記印刷装置または他の印刷装置が前記用紙に再度印刷する場合、前記用紙を排出する前記排紙トレイ上の位置を前記用紙の種類ごとにずらす一方で、前記印刷装置または他の印刷装置が前記用紙に再度印刷しない場合、前記用紙を排出する前記排紙トレイ上の位置をずらさないことを特徴とする請求項１または２に記載の印刷装置。
【請求項４】
前記制御部は、前記用紙を用紙の種類ごとにソートして前記排紙トレイに排出するように制御することを特徴とする請求項１〜３のいずれか１項に記載の印刷装置。
【請求項５】
用紙を供給する複数の給紙トレイをさらに有し、
前記制御部は、用紙の種類が同じである場合、前記用紙を排出する先の前記排紙トレイを前記給紙トレイに応じて切り替えることを特徴とする請求項１〜４のいずれか１項に記載の印刷装置。
【請求項６】
用紙を供給する複数の給紙トレイをさらに有し、
前記制御部は、用紙の種類が同じである場合、前記用紙を排出する先の前記排紙トレイ上の位置を前記給紙トレイに応じてずらすことを特徴とする請求項１〜４のいずれか１項に記載の印刷装置。
【請求項７】
用紙を供給する複数の給紙トレイをさらに有し、
前記制御部は、用紙の種類が同じである場合、前記用紙を前記給紙トレイごとに仕分けしたのち、ソートして前記排紙トレイに排出するように制御することを特徴とする請求項１〜４のいずれか１項に記載の印刷装置。
【請求項８】
前記印刷装置または他の印刷装置が前記用紙に再度印刷する有無について設定する追い刷り印刷設定手段をさらに有し、
前記追い刷り印刷設定手段は、再度印刷するか否かを印刷ジョブごとに設定することを特徴とする請求項１〜７のいずれか１項に記載の印刷装置。
【請求項９】
前記印刷装置または他の印刷装置が前記用紙に再度印刷する有無について設定する追い刷り印刷設定手段をさらに有し、
前記追い刷り印刷設定手段は、再度印刷するか否かをページごとに設定することを特徴とする請求項１〜７のいずれか１項に記載の印刷装置。
【請求項１０】
前記用紙の種類は、用紙のサイズ、用紙の表面材質、用紙の坪量、用紙の厚み、用紙の色、用紙の穴あきの有無、および用紙のタブの有無よりなる群から選択される少なくとも１つであることを特徴とする請求項１〜９のいずれか１項に記載の印刷装置。
【請求項１１】
請求項１〜１０のいずれか１項に記載の印刷装置を少なくとも１台有する印刷システム。
【請求項１２】
印刷装置を制御する制御プログラムであって、
用紙に画像を印刷する手順（ａ）と、
前記印刷装置または他の印刷装置が前記用紙に再度印刷する場合、前記用紙の種類ごとに仕分けして少なくとも１つの排紙トレイへ前記用紙を排出する手順（ｂ）と、
を前記印刷装置に実行させる、印刷装置の制御プログラム。
【請求項１３】
前記印刷装置は、前記排紙トレイを複数個有し、
前記排紙トレイへ前記用紙を排出する手順（ｂ）において、
前記印刷装置または他の印刷装置が前記用紙に再度印刷する場合、前記用紙を排出する先の前記排紙トレイを前記用紙の種類ごとに切り替える一方で、前記印刷装置または他の印刷装置が前記用紙に再度印刷しない場合、前記用紙を排出する先の前記排紙トレイを切り替えないことを特徴とする請求項１２に記載の印刷装置の制御プログラム。
【請求項１４】
前記排紙トレイへ前記用紙を排出する手順（ｂ）において、
前記印刷装置または他の印刷装置が前記用紙に再度印刷する場合、前記用紙を排出する前記排紙トレイ上の位置を前記用紙の種類ごとにずらす一方で、前記印刷装置または他の印刷装置が前記用紙に再度印刷しない場合、前記用紙を排出する前記排紙トレイ上の位置をずらさないことを特徴とする請求項１２または１３に記載の印刷装置の制御プログラム。
【請求項１５】
請求項１２〜１４のいずれか１項に記載の制御プログラムが記録されたコンピューター読み取り可能な記録媒体。
【請求項１６】
印刷装置を制御する制御方法であって、
用紙に画像を印刷する段階と、
前記印刷装置または他の印刷装置が前記用紙に再度印刷する場合、前記用紙の種類ごとに仕分けして少なくとも１つの排紙トレイへ前記用紙を排出する段階と、
を有する印刷装置の制御方法。
【請求項１７】
前記印刷装置は、前記排紙トレイを複数個有し、
前記排紙トレイへ前記用紙を排出する段階において、
前記印刷装置または他の印刷装置が前記用紙に再度印刷する場合、前記用紙を排出する先の前記排紙トレイを前記用紙の種類ごとに切り替える一方で、前記印刷装置または他の印刷装置が前記用紙に再度印刷しない場合、前記用紙を排出する先の前記排紙トレイを切り替えないことを特徴とする請求項１６に記載の印刷装置の制御方法。
【請求項１８】
前記排紙トレイへ前記用紙を排出する段階において、
前記印刷装置または他の印刷装置が前記用紙に再度印刷する場合、前記用紙を排出する前記排紙トレイ上の位置を前記用紙の種類ごとにずらす一方で、前記印刷装置または他の印刷装置が前記用紙に再度印刷しない場合、前記用紙を排出する前記排紙トレイ上の位置をずらさないことを特徴とする請求項１６または１７に記載の印刷装置の制御方法。
【発明の詳細な説明】
【技術分野】
【０００１】
本発明は、印刷装置、印刷システム、印刷装置の制御プログラム、および印刷装置の制御方法に関する。
【背景技術】
【０００２】
近年、印刷技術の進歩に伴い多種多様な印刷が可能となってきている。このような印刷を支える印刷技術の１つとして、追い刷りが知られている。追い刷りとは、一度印刷した印刷物に再度印刷する印刷技術である。より具体的には、目的とする印刷物が共通に有する絵柄や文字などを予め総量分用紙に印刷しておき、必要に応じて当該用紙を再度印刷装置へ通し、異なる絵柄や文字部分について印刷するというものである。たとえば、複数の配布先向けに印刷物を用意する場合、すべての配布先について共通に使用できる絵柄などを先に印刷し、配布先によって異なる絵柄や文字である販売店名、製造元名、バーコード、ＱＲコードなどを後から重ねて印刷する方法が知られている。また、はがきの通信面をカラー印刷装置にて印刷したのち、宛名面をモノクロ印刷装置にて印刷することも一般に行われている。
【０００３】
このように、追い刷りでは、一度印刷された印刷物に再度印刷することによって目的とする印刷物を完成させる。すなわち、追い刷りでは、目的とする印刷物の完成までに複数回の印刷工程を含む。各々の印刷工程は、異なる印刷装置を用いて印刷される場合もあるし、一部の構成を入れ替えた同じ印刷装置を用いて印刷される場合もある。
【０００４】
一般に印刷工程では、印刷装置は、所定の種類の用紙が格納された所定の給紙トレイから用紙を給紙し、受信した印刷ジョブに含まれる画像を当該用紙に画像形成する。画像形成された用紙は定着されたのち排紙トレイに排出される。そして、追い刷りするための後続の印刷工程がある場合、排紙トレイに排出された用紙束は、追い刷り用印刷装置の給紙トレイにオペレーターによって移動され、格納される。この際、排紙トレイの用紙束に複数種類の用紙が存在する場合、オペレーターは種類ごとに選り分けて所定の給紙トレイに用紙を格納しなければならない。たとえば、原稿中にＡ４サイズとＡ３サイズとが混在した混載原稿を印刷する場合、通常、これらの２つのサイズの用紙が１つの排紙トレイに混ざって排出され、２つのサイズの用紙が混在した用紙束になる。そのため、オペレーターは、２つのサイズが混在した用紙束を手作業で仕分けし、追い刷り用印刷装置の所定の給紙トレイに各々格納しなければならない。
【０００５】
また、ページごとにコート紙、マット紙、色紙などの紙種を変えた印刷物に対して追い刷りすることがある。この場合、一般に、紙種が異なると印刷の仕上がり具合が変わるため、画像形成は用紙に合わせたモードにて行われる。紙種混載の印刷後、前段の印刷装置の排紙トレイには、異なる紙種が混ざって排紙されるため、後段の印刷装置にて紙種に合わせて印刷するには、紙種ごとの仕分けを手作業で行い、後段の印刷装置の給紙トレイに用紙をセットする必要がある。その結果、オペレーターが用紙を排紙トレイから給紙トレイに移動するのに手間と時間がかかるという問題がある。
【０００６】
これに関連して、用紙の排紙方法を制御する技術が知られている。たとえば下記特許文献１には、用紙を排出する先の排紙トレイを用紙サイズに応じて切り替える技術が記載されている。しかしながら、特許文献１に記載の技術では、追い刷りについて考慮されていないので、最終段の印刷であるため追い刷りしないときでも、一律に排紙トレイを用紙サイズに応じて切り替えてしまう。その結果、正しいページ順の印刷物が得られない。
【０００７】
また、下記特許文献２には、１つの給紙トレイと１つの排紙トレイとを対応付けて用紙を排出する技術が記載されている。さらに、下記特許文献３には、後工程で紙折り機に通すことを考慮して排紙する技術が記載されている。しかしながら、特許文献２および３に記載の技術でも、追い刷りについて考慮されておらず、追い刷りを考慮した排紙はできない。すなわち、後工程での用紙搬送、画像形成のための、給紙トレイへの用紙セットのしやすさを見越した排紙は行えない。
【先行技術文献】
【特許文献】
【０００８】
【特許文献１】特開２００１−９６８７７号公報
【特許文献２】特開平５−１４７２８７号公報
【特許文献３】特開２００５−１８６５２２号公報
【発明の概要】
【発明が解決しようとする課題】
【０００９】
本発明は、上述した問題を解決するためになされたものである。したがって、本発明の目的は、オペレーターが用紙束を排紙トレイから給紙トレイへ移動し易いように、排紙トレイへ用紙を排出する印刷装置、印刷システム、印刷装置の制御プログラム、および印刷装置の制御方法を提供することである。
【課題を解決するための手段】
【００１０】
本発明の上記目的は、下記によって達成される。
【００１１】
（１）用紙に画像を印刷する印刷装置であって、印刷された用紙を載置する少なくとも１つの排紙トレイと、前記印刷装置または他の印刷装置が前記用紙に再度印刷する場合、前記用紙の種類ごとに仕分けして前記少なくとも１つの排紙トレイへ前記用紙を排出するように制御する制御部と、を有する、印刷装置。
【００１２】
（２）前記排紙トレイを複数個有し、前記制御部は、前記印刷装置または他の印刷装置が前記用紙に再度印刷する場合、前記用紙を排出する先の前記排紙トレイを前記用紙の種類ごとに切り替える一方で、前記印刷装置または他の印刷装置が前記用紙に再度印刷しない場合、前記用紙を排出する先の前記排紙トレイを切り替えないことを特徴とする上記（１）に記載の印刷装置。
【００１３】
（３）前記制御部は、前記印刷装置または他の印刷装置が前記用紙に再度印刷する場合、前記用紙を排出する前記排紙トレイ上の位置を前記用紙の種類ごとにずらす一方で、前記印刷装置または他の印刷装置が前記用紙に再度印刷しない場合、前記用紙を排出する前記排紙トレイ上の位置をずらさないことを特徴とする上記（１）または（２）に記載の印刷装置。
【００１４】
（４）前記制御部は、前記用紙を用紙の種類ごとにソートして前記排紙トレイに排出するように制御することを特徴とする上記（１）〜（３）のいずれか１つに記載の印刷装置。
【００１５】
（５）用紙を供給する複数の給紙トレイをさらに有し、前記制御部は、用紙の種類が同じである場合、前記用紙を排出する先の前記排紙トレイを前記給紙トレイに応じて切り替えることを特徴とする上記（１）〜（４）のいずれか１つに記載の印刷装置。
【００１６】
（６）用紙を供給する複数の給紙トレイをさらに有し、前記制御部は、用紙の種類が同じである場合、前記用紙を排出する先の前記排紙トレイ上の位置を前記給紙トレイに応じてずらすことを特徴とする上記（１）〜（４）のいずれか１つに記載の印刷装置。
【００１７】
（７）用紙を供給する複数の給紙トレイをさらに有し、前記制御部は、用紙の種類が同じである場合、前記用紙を前記給紙トレイごとに仕分けしたのち、ソートして前記排紙トレイに排出するように制御することを特徴とする上記（１）〜（４）のいずれか１つに記載の印刷装置。
【００１８】
（８）前記印刷装置または他の印刷装置が前記用紙に再度印刷する有無について設定する追い刷り印刷設定手段をさらに有し、前記追い刷り印刷設定手段は、再度印刷するか否かを印刷ジョブごとに設定することを特徴とする上記（１）〜（７）のいずれか１つに記載の印刷装置。
【００１９】
（９）前記印刷装置または他の印刷装置が前記用紙に再度印刷する有無について設定する追い刷り印刷設定手段をさらに有し、前記追い刷り印刷設定手段は、再度印刷するか否かをページごとに設定することを特徴とする上記（１）〜（７）のいずれか１つに記載の印刷装置。
【００２０】
（１０）前記用紙の種類は、用紙のサイズ、用紙の表面材質、用紙の坪量、用紙の厚み、用紙の色、用紙の穴あきの有無、および用紙のタブの有無よりなる群から選択される少なくとも１つであることを特徴とする上記（１）〜（９）のいずれか１つに記載の印刷装置。
【００２１】
（１１）上記（１）〜（１０）のいずれか１つに記載の印刷装置を少なくとも１台有する印刷システム。
【００２２】
（１２）印刷装置を制御する制御プログラムであって、用紙に画像を印刷する手順（ａ）と、前記印刷装置または他の印刷装置が前記用紙に再度印刷する場合、前記用紙の種類ごとに仕分けして少なくとも１つの排紙トレイへ前記用紙を排出する手順（ｂ）と、を前記印刷装置に実行させる、印刷装置の制御プログラム。
【００２３】
（１３）前記印刷装置は、前記排紙トレイを複数個有し、前記排紙トレイへ前記用紙を排出する手順（ｂ）において、前記印刷装置または他の印刷装置が前記用紙に再度印刷する場合、前記用紙を排出する先の前記排紙トレイを前記用紙の種類ごとに切り替える一方で、前記印刷装置または他の印刷装置が前記用紙に再度印刷しない場合、前記用紙を排出する先の前記排紙トレイを切り替えないことを特徴とする上記（１２）に記載の印刷装置の制御プログラム。
【００２４】
（１４）前記排紙トレイへ前記用紙を排出する手順（ｂ）において、前記印刷装置または他の印刷装置が前記用紙に再度印刷する場合、前記用紙を排出する前記排紙トレイ上の位置を前記用紙の種類ごとにずらす一方で、前記印刷装置または他の印刷装置が前記用紙に再度印刷しない場合、前記用紙を排出する前記排紙トレイ上の位置をずらさないことを特徴とする上記（１２）または（１３）に記載の印刷装置の制御プログラム。
【００２５】
（１５）上記（１２）〜（１４）のいずれか１つに記載の制御プログラムが記録されたコンピューター読み取り可能な記録媒体。
【００２６】
（１６）印刷装置を制御する制御方法であって、用紙に画像を印刷する段階と、前記印刷装置または他の印刷装置が前記用紙に再度印刷する場合、前記用紙の種類ごとに仕分けして少なくとも１つの排紙トレイへ前記用紙を排出する段階と、を有する印刷装置の制御方法。
【００２７】
（１７）前記印刷装置は、前記排紙トレイを複数個有し、前記排紙トレイへ前記用紙を排出する段階において、前記印刷装置または他の印刷装置が前記用紙に再度印刷する場合、前記用紙を排出する先の前記排紙トレイを前記用紙の種類ごとに切り替える一方で、前記印刷装置または他の印刷装置が前記用紙に再度印刷しない場合、前記用紙を排出する先の前記排紙トレイを切り替えないことを特徴とする上記（１６）に記載の印刷装置の制御方法。
【００２８】
（１８）前記排紙トレイへ前記用紙を排出する段階において、前記印刷装置または他の印刷装置が前記用紙に再度印刷する場合、前記用紙を排出する前記排紙トレイ上の位置を前記用紙の種類ごとにずらす一方で、前記印刷装置または他の印刷装置が前記用紙に再度印刷しない場合、前記用紙を排出する前記排紙トレイ上の位置をずらさないことを特徴とする上記（１６）または（１７）に記載の印刷装置の制御方法。
【発明の効果】
【００２９】
本発明によれば、後続の処理工程において追い刷りする場合、用紙の種類ごとに仕分けして排紙トレイへ用紙を排出するので、オペレーターが用紙束を排紙トレイから給紙トレイに移動し易くなる。その結果、オペレーターが用紙束を排紙トレイから適切な給紙トレイへ迅速に移動させることが可能となる。
【図面の簡単な説明】
【００３０】
【図１】本発明の第１の実施形態の印刷システムの全体構成を示す概略ブロック図である。
【図２】図１に示すＰＣの概略ブロック図である。
【図３】図１に示す印刷装置の概略断面図である。
【図４】図３に示す制御部の概略ブロック図である。
【図５】本発明の第１の実施形態の印刷設定画面の一例を示す図である。
【図６】本発明の第１の実施形態の印刷装置の印刷処理を説明するためのフローチャートである。
【図７】本発明の第１の実施形態の印刷装置による排紙結果の一例を示す図である。
【図８】図８（Ａ）および図８（Ｂ）は、本発明の第１の実施形態の印刷装置の排紙方法の変形例を説明するための平面図である。
【図９】本発明の第２の実施形態の印刷システムの全体構成を示す概略ブロック図である。
【図１０】本発明の第２の実施形態の印刷装置の印刷処理を説明するためのフローチャートである。
【図１１】本発明の第２の実施形態の印刷装置の印刷処理を説明するためのフローチャートである。
【図１２】本発明の第３の実施形態の印刷システムの全体構成を示す概略ブロック図である。
【図１３】本発明の第３の実施形態の印刷装置の印刷処理を説明するためのフローチャートである。
【図１４】本発明の第３の実施形態の前段印刷装置の給紙トレイおよび排紙トレイの用紙の種類を説明する模式図である。
【図１５】本発明の第３の実施形態の最終段印刷装置の給紙トレイおよび排紙トレイの用紙の種類を説明する模式図である。
【発明を実施するための形態】
【００３１】
（第１の実施形態）
以下、添付した図面を参照して本発明の印刷装置、印刷システム、印刷装置の制御プログラム、および印刷装置の制御方法の実施形態を説明する。なお、図中、同一の部材には同一の符号を用いた。
【００３２】
＜印刷システム＞
以下、図１〜図５を参照して、本発明の第１の実施形態を説明する。図１は本発明の第１の実施形態の印刷システムの全体構成を示す概略ブロック図である。図２は図１に示すＰＣの概略ブロック図であり、図３は図１に示す印刷装置の概略断面図である。また、図４は図３に示す制御部の概略ブロック図であり、図５は本発明の第１の実施形態の印刷設定画面の一例を示す図である。
【００３３】
以下では、印刷装置として複写機を例示して説明する。しかしながら、本実施形態の印刷装置は、複写機に限定されることはなく、プリンター、複合機などに適用することができる。
【００３４】
図１に示すように、印刷システム１０００は、印刷装置１００Ａ〜１００Ｃ、ネットワーク２００、およびＰＣ（Ｐｅｒｓｏｎａｌ  Ｃｏｍｐｕｔｅｒ）３００を有する。印刷装置１００Ａ〜１００ＣとＰＣ３００は、ネットワーク２００を介して通信可能に接続されている。
【００３５】
本実施形態では、印刷装置１００Ａが所定の印刷物に共通の絵柄を用紙に印刷したのち、印刷装置１００Ｂおよび１００Ｃが上記用紙に順次追い刷りをして上記所定の印刷物を完成させる場合を例示して説明する。
【００３６】
印刷装置１００Ａは、目的とする印刷物に共通の絵柄を用紙に印刷するための印刷装置である。以下では、印刷装置１００Ａを「前段印刷装置」と称する。また、印刷装置１００Ｂおよび印刷装置１００Ｃは、印刷装置１００Ａによって印刷された用紙に追加的に印刷するための印刷装置である。以下では、印刷装置１００Ｂおよび印刷装置１００Ｃを「追い刷り用印刷装置」と称する。そして、本明細書を通して、一度印刷した用紙に再度印刷することを「追い刷りする」という。
【００３７】
なお、本実施形態の印刷システム１０００が有する印刷装置およびＰＣの台数は、図１に示す台数に限定されない。また、印刷装置１００Ａ〜１００Ｃの詳細については後述する。
【００３８】
＜ネットワーク＞
ネットワーク２００は、イーサネット（登録商標）、トークンリング、ＦＤＤＩなどの規格によりコンピューターやネットワーク機器同士を接続したＬＡＮ、あるいはＬＡＮ同士を専用線で接続したＷＡＮなどを含む。
【００３９】
＜ＰＣ＞
ＰＣ３００は、たとえばパーソナルコンピューター、ワークステーション、携帯情報端末などでありうる。ＰＣ３００は、印刷ジョブを生成して、印刷装置１００Ａ〜１００Ｃに送信する。印刷ジョブは、印刷装置１００Ａ〜１００Ｃによって印刷される画像データおよび印刷設定を含む。
【００４０】
図２に示すように、ＰＣ３００は、ＣＰＵ（Ｃｅｎｔｒａｌ  Ｐｒｏｃｅｓｓｉｎｇ  Ｕｎｉｔ）３１１、ＲＯＭ（Ｒｅａｄ  Ｏｎｌｙ  Ｍｅｍｏｒｙ）３１２、ＨＤＤ（Ｈａｒｄ  Ｄｉｓｋ  Ｄｒｉｖｅ）３１３、ＲＡＭ（Ｒａｎｄｏｍ  Ａｃｃｅｓｓｓ  Ｍｅｍｏｒｙ）３１４、ネットワークＩ／Ｆ（ＩｎｔｅｒＦａｃｅ）３１５、入力操作部３１６、および画像出力部３１７を有する。これらの各構成要素は、バス３１８を介して相互に通信可能に接続されている。
【００４１】
ＣＰＵ３１１は、アプリケーションプログラム（以下、アプリケーションと略記する。）およびプリンタードライバーを実行して、印刷ジョブを生成し、印刷装置１００Ａ〜１００Ｃに送信する。アプリケーションは、たとえば印刷機能を有する文書作成ソフトウェアである。
【００４２】
アプリケーションおよびプリンタードライバーは、不揮発性の記憶装置であるＲＯＭ１２、または大容量の記憶装置であるハードディスクドライブＨＤＤ３１３に予め格納されており、ＣＰＵ３１１が実行する際に揮発性の記憶装置であるＲＡＭ３１４に転送される。
【００４３】
プリンタードライバーは、アプリケーションの指示に基づいて、印刷ジョブを生成する。印刷ジョブは、少なくとも１ページからなる印刷データ、印刷する各ページに関する印刷設定などを含む。本実施形態の印刷設定の詳細については後述する。印刷ジョブは、ネットワークＩ／Ｆ３１５を介して印刷装置１００Ａ〜１００Ｃに送信される。
【００４４】
ページ情報は、たとえばページ番号、ページサイズ（主走査方向サイズおよび副走査方向サイズ）、ページ解像度などをページごとに含む。
【００４５】
印刷データは、データファイルおよびレイアウトファイルを含む。データファイルとしては、ＰＳ（ＰｏｓｔＳｃｒｉｐｔ（登録商標））、ＰＤＦ（Ｐｏｒｔａｂｌｅ  Ｄｏｃｕｍｅｎｔ  Ｆｏｒｍａｔ）、ＰＣＬ（Ｐｒｉｎｔｅｒ  Ｃｏｎｔｒｏｌ  Ｌａｎｇｕａｇｅ）、およびＸＰＳ（ＸＭＬ  Ｐａｐｅｒ  Ｓｐｅｃｉｆｉｃａｔｉｏｎ）などのページ記述言語で記述されたファイルが使用される。また、レイアウトファイルには、ＰＳで記述されたオブジェクトが定義されている。
【００４６】
ＲＯＭ３１２およびＨＤＤ３１３は、上記アプリケーションおよびプリンタードライバーに加えて、各種のプログラムおよびパラメーターを格納する。また、ＲＡＭ３１４は、上記アプリケーションを実行する際にＣＰＵ３１１が演算した演算結果などを保存する。
【００４７】
ネットワークＩ／Ｆ３１５は、ネットワーク２００を経由して印刷装置１００Ａ〜１００Ｃに接続し、ＰＣ３００と印刷装置１００Ａ〜１００Ｃとの間においてデータを送受信する。
【００４８】
入力操作部３１６は、オペレーター入力を受け付けて、ＣＰＵ３１１に伝達する。入力操作部３１６は、たとえばキーボード、マウスなどのポインティングデバイスを有し、オペレーターからの文字、各種設定、各種指示を受け付ける。
【００４９】
画像出力部３１７は、オペレーター入力の受け付け画面、印刷設定画面、印刷プレビュー画面、処理結果などの各種情報を表示する。画像出力部３１７は、たとえば、液晶ディスプレイ、プラズマディスプレ、ＣＲＴ（Ｃａｔｈｏｄｅ  Ｒａｙ  Ｔｕｂｅ）など表示装置を備える。
【００５０】
＜前段印刷装置＞
本実施形態の印刷装置１００Ａは、印刷物に共通する絵柄などの共通部分の画像（以下、共通部分画像と称する。）を印刷する前段印刷装置として機能する。図３に示すように、本実施形態の印刷装置１００Ａは、画像読取部１０、画像形成部２０、用紙搬送部３０、定着部４０、給紙部５０、排紙部６０、入出力部７０、および制御部８０を有する。なお、以下では、本実施形態の印刷装置１００Ａの主要な構成を中心に説明し、従来の画像形成装置と同様の構成については説明を省略する。
【００５１】
画像読取部１０は、原稿の画像を読取り、記憶する。本実施形態では、画像読取部１０は、光源１１、光学系１２、撮像素子１３、画像処理系１４、および読取面１５を有する。
【００５２】
光源１１から照射された光は、読取面１５に載置された原稿Ｐに照射され、その反射光は光学系１２を通じて、読取り位置に移動した撮像素子１３に結像される。撮像素子１３は、原稿Ｐからの反射光強度に応じて電気信号を生成する。生成された電気信号は、画像処理系１４において、アナログ信号からディジタル信号に変換されたのち、補正処理、フィルター処理、画像圧縮処理などが施され、画像データとして画像処理系１４のメモリーに記憶される。
【００５３】
画像形成部２０は、電子写真プロセスで画像を形成し、形成された画像を記録媒体としての用紙Ｓに定着する。本実施形態では、画像形成部２０は、イエロー（Ｙ）色の画像を形成する画像形成部２０Ｙ、マゼンタ（Ｍ）色の画像を形成する画像形成部２０Ｍ、シアン（Ｃ）色の画像を形成する画像形成部２０Ｃ、黒（Ｋ）色の画像を形成する画像形成部２０Ｋを備えており、それぞれ共通する符号２０の後に形成する色をあらわす符号Ｙ、Ｍ、Ｃ、Ｋを付して表記されている。
【００５４】
画像形成部２０Ｙは、像担持体としての感光体ドラム１Ｙおよびその周囲に配置された帯電部２Ｙ、光書込部３Ｙ、現像装置４Ｙおよびドラムクリーナー５Ｙを有して構成される。感光体ドラム１Ｙは、ドラムモーターにより所定の速度で回転する。
【００５５】
同様に、画像形成部２０Ｍは、感光体ドラム１Ｍの周囲に配置された帯電部２Ｍ、光書込部３Ｍ、現像装置４Ｍおよびドラムクリーナー５Ｍを有して構成される。また、画像形成部２０Ｃは、感光体ドラム１Ｃの周囲に配置された帯電部２Ｃ、光書込部３Ｃ、現像装置４Ｃおよびドラムクリーナー５Ｃを有して構成される。また、画像形成部２０Ｋは、感光体ドラム１Ｋの周囲に配置された帯電部２Ｋ、光書込部３Ｋ、現像装置４Ｋおよびドラムクリーナー５Ｋを有して構成される。
【００５６】
画像形成部２０Ｙ、２０Ｍ、２０Ｃ、２０Ｋにおけるそれぞれの感光体ドラム１Ｙ、１Ｍ、１Ｃ、１Ｋ、帯電部２Ｙ、２Ｍ、２Ｃ、２Ｋ、光書込部３Ｙ、３Ｍ、３Ｃ、３Ｋ、現像装置４Ｙ、４Ｍ、４Ｃ、４Ｋおよびドラムクリーナー５Ｙ、５Ｍ、５Ｃ、５Ｋは、それぞれ共通する内容の構成である。以下、特に区別が必要な場合を除き符号Ｙ、Ｍ、Ｃ、Ｋを付さずに表記することがある。
【００５７】
画像形成部２０は、画像処理系１４のメモリーに記憶されている画像データに基づいて、光書込部３にて画像情報信号を感光体ドラム１に書き込み、感光体ドラム１に画像情報信号に基づく潜像を形成する。そして潜像は現像装置４により現像され、感光体ドラム１上に可視画像であるトナー像が形成される。
【００５８】
画像形成部２０Ｙ、２０Ｍ、２０Ｃ、２０Ｋのそれぞれ感光体ドラム１Ｙ、１Ｍ、１Ｃ、１Ｋに、それぞれ、イエロー（Ｙ）色、マゼンタ（Ｍ）色、シアン（Ｃ）色、黒（Ｋ）色の画像が形成される。
【００５９】
中間転写ベルト２１は、複数のローラーにより巻回され、走行可能に支持されている。画像形成部２０Ｙ、２０Ｍ、２０Ｃ、２０Ｋより形成された各色のトナー画像は、走行する中間転写ベルト２１上に一次転写部７Ｙ、７Ｍ、７Ｃ、７Ｋにより逐次転写されてＹ（イエロー）、Ｍ（マゼンタ）、Ｃ（シアン）、Ｋ（黒）の各色層が重畳したカラー画像が形成される。
【００６０】
用紙搬送部３０は、用紙Ｓを搬送する。用紙Ｓは、給紙部５０の給紙トレイ５１、５２、または５３に収容されている。用紙搬送部３０は、送り出しローラー３１と、さばきローラー３２と、搬送ローラー３３と、ループローラー（中間ローラー）３４と、レジストローラー３５と、を備える。
【００６１】
用紙Ｓは、送り出しローラー３１によって給紙トレイ５１、５２、または５３から搬送経路に送り出され、さばきローラー３２によって１枚に分離される。１枚に分離された用紙Ｓは、搬送ローラー３３によって搬送経路に沿ってループローラー３４およびレジストローラー３５を経て２次転写ローラー２２に搬送される。
【００６２】
そして、用紙Ｓ上に中間転写ベルト２１上のカラー画像が転写される。カラー画像が転写された用紙Ｓは、定着部４０にて熱と圧力とを加えることにより用紙Ｓ上のトナー像が定着され、排紙ローラー３６を経て排紙部６０に送られる。
【００６３】
排紙部６０は、画像が定着された用紙Ｓを印刷装置１００Ａの外部に排出する。排紙部６０は、排紙トレイ６１〜６３と、排紙トレイ６１〜６３を移動させるための機構（不図示）と、を有する。画像が定着された用紙Ｓは、制御部８０によって選択された排紙トレイ６１〜６３のうちのいずれかに排出される。
【００６４】
また、印刷装置１００Ａは、用紙反転部３７を備えており、定着がなされた用紙Ｓを定着搬送ローラーから用紙反転部３７に導いて表裏を反転して排出することができる。それにより、用紙Ｓの両面に画像を形成することができる。
【００６５】
入出力部７０は、たとえばタッチパネル・ディスプレイ（不図示）などの入出力装置を備える。オペレーターは、入出力部７０を介して、たとえば印刷設定の設定値を確認したり、変更したりすることができる。
【００６６】
制御部８０は、画像読取部１０、画像形成部２０、用紙搬送部３０、定着部４０、給紙部５０、排紙部６０、および入出力部７０を制御する。図４に示すように、制御部８０は、ＣＰＵ８１、ＲＯＭ８２、ＨＤＤ８３、ＲＡＭ８４、およびネットワークＩ／Ｆ８５を有する。これらの各構成要素は、バス８６を介して相互に通信可能に接続されている。制御部８０は、プリントコントローラーとしての役割を果たす。
【００６７】
ＣＰＵ８１は、印刷装置１００Ａを前段印刷装置として動作させるための制御プログラムを実行する。制御プログラムは、ＲＯＭ８２または大容量の記憶装置であるハードディスクドライブＨＤＤ８３に記憶されている。ＣＰＵ８１は、制御プログラムにしたがって、画像読取部１０、画像形成部２０、用紙搬送部３０、定着部４０、給紙部５０、排紙部６０、および入出力部７０を制御し、演算結果などをＲＡＭ８４に記憶する。ネットワークＩ／Ｆ８５は、ネットワーク２００を経由してＰＣ３００に接続し、印刷装置１００ＡとＰＣ３００との間においてデータを送受信する。
【００６８】
本実施形態では、ＣＰＵ８１は、制御プログラムを実行することにより、排紙部６０を制御する。具体的には、ＣＰＵ８１は、追い刷り用印刷装置である印刷装置１００Ｂが用紙Ｓに再度印刷する場合、用紙Ｓの種類ごとに仕分けして排紙トレイ６１〜６３のうちの少なくとも１つに排紙するように制御する。
【００６９】
＜追い刷り用印刷装置＞
次に、本実施形態の印刷装置１００Ｂおよび１００Ｃについて説明する。本実施形態では、印刷装置１００Ｂおよび１００Ｃは、印刷物の共通部分とは異なる追加部分の画像（以下、追い刷り版画像と称する。）を印刷する追い刷り用印刷装置として機能する。なお、説明の重複を避けるため、印刷装置１００Ａと同じ構成については説明を省略する。
【００７０】
印刷装置１００Ｂおよび１００Ｃは、印刷装置１００Ａで印刷された用紙Ｓに必要に応じて追加的に印刷する。印刷装置１００Ｂおよび１００Ｃが印刷する範囲は、用紙Ｓの全面であってもよいし一部分であってもよい。また、印刷装置１００Ａで印刷された用紙Ｓの表面でも裏面でもよい。
【００７１】
印刷装置１００Ｂおよび１００Ｃは、たとえばＣＭＹＫトナーボトルに加えて、あるいはＣＭＹＫトナーボトルに代えて、特色やクリアのトナーボトルを有し、特色やクリアでの印刷を実行できる。また、印刷装置１００Ｂおよび１００Ｃは、たとえば宛名印刷を追い刷りで実行する場合、モノクロ印刷装置であってよい。
【００７２】
また、印刷装置１００Ｂおよび１００Ｃは、特殊な印刷を実行する特殊印刷装置であってもよい。特殊印刷装置には、たとえば、「銀はがし」、「香料印刷」、「蛍光印刷」、「凹凸印刷」、「光沢コート」などの特殊印刷を実現する印刷装置が含まれる。これらの特殊印刷装置による印刷は、特殊なインキなどを使用して実現される。本実施形態で使用される特殊印刷技術は公知であるので、特殊印刷の具体的な印刷方法についての説明を省略する。このような特殊印刷技術を使用して追い刷りすることにより、印刷物に付加価値を持たせることができる。
【００７３】
＜印刷設定＞
本実施形態では、印刷装置１００Ａ〜１００Ｃのプリントコントローラーは、ＰＣ３００から送信される印刷ジョブをそれぞれ受信し、当該印刷ジョブに含まれる印刷設定に基づいて用紙に画像を印刷する。
【００７４】
本実施形態では、印刷装置１００Ａ〜１００Ｃの各々について、ＰＣ３００においてプリンタードライバーが実行され、画像出力部３１７の表示装置に表示される印刷設定画面を通じて印刷設定がなされる。図５に本実施形態の印刷設定画面の一例を示す。オペレーターは、印刷設定画面４００の各設定項目について入力操作部３１６のマウス、キーボードなどを用いて入力する。
【００７５】
図５に示す印刷設定画面４００において、用紙の種類についての設定領域４１０は、用紙のページ番号、サイズ、色、および紙種についての設定項目を含む。図５では、第１ページについて、用紙のサイズをＡ４サイズ、色を白、紙種を光沢紙に設定した場合を例示している。
【００７６】
なお、本実施形態の用紙の種類は、用紙のページ番号、サイズ、色、および紙種に限定されることはない。下記の表１に本実施形態で使用される主要な用紙の種類を例示する。用紙の種類には、用紙搬送に関係する用紙の種類と、画像形成に関係する用紙の種類とがある。用紙搬送に関係する用紙の種類には、用紙のサイズ、給紙方向、坪量、タブ付などが含まれる。一方、画像形成に関係する用紙の種類には、色、紙種、タブ付などが含まれる。
【００７７】
【表１】
2014084193.tif 000003
【００７８】
また、追い刷りについての設定領域４２０は、追い刷りの有無の設定および排紙設定を含む。追い刷りの有無の設定は、印刷装置１００Ａで共通部分画像を印刷したのち、印刷装置１００Ｂで追い刷り版画像を追い刷りする場合、印刷装置１００Ａの印刷設定の追い刷りを「有」（以下、「追い刷り有」と表記する。）に設定する。一方、印刷装置１００Ｂで追い刷りしない場合、印刷装置１００Ａの印刷設定の追い刷りを「無」（以下、「追い刷り無」と表記する。）に設定する。
【００７９】
本実施形態では、印刷装置１００Ａ〜１００Ｃの各々の印刷設定において、追い刷り印刷の有無の設定をすることができる。たとえば、追い刷り用印刷装置１００Ｂで追い刷りを実行する場合、印刷装置１００Ａの追い刷り有に設定する。また、追い刷り用印刷装置１００Ｃで追い刷りを実行する場合、追い刷り印刷装置１００Ｂの追い刷り有に設定する。
【００８０】
さらに、「排紙設定」４２１を入力操作部３１６のマウスなどでクリックして選択すると、用紙の種類ごとに排紙先の排紙トレイ６１〜６３を設定することができる。
【００８１】
上述のとおり、追い刷りの有無の設定およびページごとの用紙の種類の設定をしたのち、「適用」４３１を選択すると、印刷設定が適用される。また、「一覧表示」４３２を選択すると、印刷設定および排紙設定が一覧表示される。下記の表２には、一例として、追い刷り有の設定で、１５ページの印刷データを印刷する場合についての一覧表示が示されている。表２に示すように、印刷データは、Ａ４サイズとＡ３サイズが混載されており、用紙の色はいずれも白であり、紙種として普通紙および光沢紙を含む。表２には、用紙のサイズ、色、紙種についてページごとに設定が示されている。なお、上述した本実施形態の印刷設定において、両面印刷、Ｎｉｎ１などの印刷設定は従来の印刷設定と同様に設定されるので説明を省略する。
【００８２】
また、表２の右端の欄には、追い刷り有の場合に用紙が排紙される先の排紙トレイが示されている。より具体的には、排紙トレイＡ（排紙トレイ６１）には、Ａ４サイズの普通紙がページ順に指定部数排紙される。また、排紙トレイＢ（排紙トレイ６２）には、Ａ４サイズの光沢紙がページ順に指定部数出力される。また、排紙トレイＣ（排紙トレイ６３）には、Ａ３サイズの普通紙がページ順に指定部数排紙される。
【００８３】
印刷設定画面４００において、「ＯＫ」４３３を選択すると、印刷設定が適用された状態で印刷設定の処理が終了する。一方、「キャンセル」４３４を選択すると、印刷設定画面４００が立ち上がる前の印刷設定の状態に復元され、印刷設定の処理が終了する。
【００８４】
【表２】
2014084193.tif 000004
【００８５】
＜印刷装置の動作＞
図６を参照して、本実施形態の印刷装置の印刷処理を説明する。図６は、本実施形態の印刷装置の印刷処理を説明するためのフローチャートである。なお、以下では、印刷装置１００Ａの印刷処理について説明する。印刷装置１００Ａの制御部８０は、制御プログラムにしたがって以下の手順を実行する。印刷装置１００Ｂおよび１００Ｃの印刷処理についても同様であるので、その説明を省略する。
【００８６】
図６に示すように、まず、印刷ジョブを受信する（ステップＳ１０１）。印刷装置１００Ａは、ＰＣ３００から送信された印刷ジョブを受信し、制御部８０のＲＡＭ８４に一時的に保存する。当該印刷ジョブには、印刷装置１００Ａで印刷される画像データおよび印刷設定が含まれている。
【００８７】
次に、指定用紙に指定画像を形成する（ステップＳ１０２）。印刷装置１００Ａは、上記印刷設定で指定された用紙に上記画像データに基づいて画像を形成する。
【００８８】
次に、追い刷り設定の有無を判断する（ステップＳ１０３）。印刷装置１００Ａは、追い刷り設定が有の場合（ステップＳ１０３：ＹＥＳ）、すなわち後続する印刷工程で再度画像が印刷される場合、用紙の種類ごとに仕分けして排紙トレイへ排紙する（ステップＳ１０４）。そして、印刷装置１００Ａは、印刷処理を終了する。
【００８９】
一方、追い刷り設定が無の場合（ステップＳ１０３：ＮＯ）、すなわち後続する印刷工程がない場合、用紙の種類ごとに仕分けせずに排紙トレイへ排紙する（ステップＳ１０５）。そして、印刷装置１００Ａは、印刷処理を終了する。
【００９０】
＜印刷手順の一例＞
次に、図７を参照して、本実施形態の印刷装置を用いて印刷を実行する手順を説明する。図７は、本実施形態の印刷装置による排紙結果の一例を示す図である。
【００９１】
以下では、たとえば、ＰＣ３００のアプリケーションで文書を作成し、印刷装置１００Ａで印刷したのち、追い刷り用の印刷装置１００Ｂおよび１００Ｃで順次追い刷りする場合を例に挙げて説明する。
【００９２】
まず、印刷装置１００Ａの印刷に先立って、オペレーターは、印刷装置１００Ａの給紙トレイ５１〜５３にＡ４サイズの普通紙、Ａ４サイズの光沢紙、およびＡ３サイズの普通紙をそれぞれセットする。
【００９３】
次に、オペレーターは、ＰＣ３００の入力操作部３１６を操作して、印刷装置１００Ａで印刷する文書に関するアプリケーションから印刷装置１００Ａのプリンタードライバーを実行し、ＰＣ３００に印刷設定画面４００を表示させる。オペレーターは、ＰＣ３００の入力操作部３１６を操作して、印刷設定画面４００の各ページの用紙サイズ、色、紙種について、たとえば表２に示すように印刷設定する。また、追い刷り有に設定する。
【００９４】
次に、オペレーターがアプリケーションから印刷を実行すると、プリンタードライバーにより印刷ジョブが生成され、印刷装置１００Ａに送信される。印刷装置１００Ａに送信される印刷ジョブには、印刷装置１００Ａの印刷設定および印刷装置１００Ａで印刷される所定の共通部分画像が含まれる。
【００９５】
印刷装置１００Ａは、印刷ジョブを受信し、上記印刷設定に基づいて共通部分画像を印刷する。そして、印刷装置１００Ａは、追い刷り有に設定されているため、印刷された用紙を用紙の種類ごとに仕分けして排紙トレイ６１〜６３にソートして排紙する。より具体的には、図７に示すように、印刷装置１００Ａの排紙トレイ６１〜６３には、印刷された用紙束がＡ４サイズの普通紙、Ａ４サイズの光沢紙、およびＡ３サイズの普通紙ごとにページ番号順に積み上げられて排紙される。なお、図７に示す例では、各々の排紙トレイに１部ずつまとめられて合計１０部ずつ排紙された場合について示している。
【００９６】
次に、オペレーターは、印刷装置１００Ａの排紙トレイ６１〜６３の用紙束をそのまま印刷装置１００Ｂの給紙トレイ５１〜５３にそれぞれ移動してセットする。したがって、印刷装置１００Ｂの給紙トレイ５１〜５３には、それぞれＡ４サイズの普通紙、Ａ４サイズの光沢紙、およびＡ３サイズの普通紙がセットされる。その結果、印刷装置１００Ａの給紙トレイ５１〜５３と用紙の種類との間の対応関係が、印刷装置１００Ｂの給紙トレイ５１〜５３と用紙の種類との間でも維持される。
【００９７】
次に、オペレーターは、ＰＣ３００の入力操作部３１６を操作して、印刷装置１００Ｂのプリンタードライバーを実行し、たとえば表２に示すように印刷設定する。また、追い刷り有に設定する。
【００９８】
次に、オペレーターがアプリケーションから印刷を実行すると、プリンタードライバーにより印刷ジョブが生成され、印刷装置１００Ｂに送信される。印刷装置１００Ｂに送信される印刷ジョブには、印刷装置１００Ｂの印刷設定および印刷装置１００Ｂによって追い刷りされる所定の追い刷り版画像Ｂが含まれる。
【００９９】
印刷装置１００Ｂは、印刷ジョブを受信し、上記印刷設定に基づいて追い刷り版画像Ｂを印刷する。そして、印刷装置１００Ｂは、追い刷り有に設定されているため、印刷された用紙を用紙の種類ごとに仕分けして排紙トレイ６１〜６３にソートして排紙する。たとえば、排紙トレイ６１〜６３には、用紙の種類ごとに仕分けされた用紙が１部ごとにページの若い順に積み上げられる。
【０１００】
次に、オペレーターは、印刷装置１００Ｂの排紙トレイ６１〜６３の用紙束を印刷装置１００Ｃの給紙トレイ５１〜５３に移動してセットする。したがって、印刷装置１００Ｃの給紙トレイ５１〜５３には、それぞれＡ４サイズの普通紙、Ａ４サイズの光沢紙、およびＡ３サイズの普通紙がセットされる。その結果、印刷装置１００Ｂの給紙トレイ５１〜５３と当該給紙トレイ５１〜５３に格納される用紙の種類との間の対応関係が、印刷装置１００Ｃの給紙トレイ５１〜５３と当該給紙トレイ５１〜５３に格納される用紙の種類との間でも維持される。
【０１０１】
次に、オペレーターは、ＰＣ３００の入力操作部３１６を操作して、印刷装置１００Ｃのプリンタードライバーを実行し、たとえば表２に示すように印刷設定する。また、追い刷り無に設定する。
【０１０２】
次に、オペレーターがアプリケーションから印刷を実行すると、プリンタードライバーにより印刷ジョブが生成され、印刷装置１００Ｃに送信される。印刷装置１００Ｃに送信される印刷ジョブには、印刷装置１００Ｃの印刷設定および印刷装置１００Ｃによって追い刷りされる追い刷り版画像Ｃが含まれる。
【０１０３】
印刷装置１００Ｃは、印刷ジョブを受信し、上記印刷設定に基づいて上記追い刷り版画像Ｃを印刷する。そして、印刷装置１００Ｃは、追い刷り無に設定されているため、印刷された用紙を用紙の種類ごとに仕分けせずに排紙トレイ６１にまとめて排紙する。具体的には、印刷装置１００Ｃは、１部ごとになるように、印刷された用紙を表２に示すページ順に１枚ずつ排紙トレイ６１に排紙して積み上げる。
【０１０４】
このように、本実施形態の印刷装置は、追い刷りする場合において、前段印刷装置の排紙トレイに異なる種類の用紙が混在しないように排紙トレイを切り替えて排紙し、後段の追い刷り用印刷装置の給紙トレイへの用紙束のセットを容易にするものである。
【０１０５】
本実施形態の印刷装置１００Ａは、印刷装置１００Ａで印刷された用紙Ｓに印刷装置１００Ｂが再度印刷する場合、すなわち印刷装置１００Ｂが追い刷りする場合、用紙Ｓの種類ごとに仕分けして排紙トレイ６１〜６３に用紙Ｓを排出する。したがって、オペレーターによって排紙トレイ６１〜６３から給紙トレイ５１〜５３へ用紙束が適切に移動される限り、印刷装置１００Ｂの給紙トレイ５１〜５３には、印刷装置１００Ａの給紙トレイ５１〜５３と同様に用紙Ｓが格納される。また、印刷装置１００Ａ〜１００Ｃのいずれにおいても、各々の排紙トレイには用紙Ｓはページ番号の若い順に排出される。したがって、最終段の印刷装置１００Ｃの排紙トレイ６１には、表２に示すページ番号の順に用紙が排出されるので、最終的な印刷物のページの順番が崩れることはない。
【０１０６】
（変形例）
図８（Ａ）および図８（Ｂ）は、本実施形態の印刷装置の排紙方法の変形例を説明するための平面図である。本実施形態では、印刷された用紙Ｓを排紙トレイ６１〜６３に排出する際に用紙Ｓの種類ごとに用紙トレイ幅方向に対して排紙位置をずらすことができる。たとえば、図８（Ａ）に示すように、Ａ３サイズの用紙の場合、用紙トレイ幅方向のＬ側に寄せて排出される。一方、Ａ４サイズの用紙の場合、用紙トレイ幅方向のＲ側に寄せて排出される。このように、サイズが異なる用紙を排出する際に用紙トレイ幅方向に対して排紙位置をずらすことにより、用紙Ｓを仕分けすることができる。したがって、オペレーターは、印刷されたＡ３サイズおよびＡ４サイズの用紙束を容易に区別することができる。
【０１０７】
また、図８（Ｂ）に示すように、用紙トレイ幅方向の排紙位置をずらさずに、Ａ３サイズの用紙とＡ４サイズの用紙の大きさの違いを利用して仕分けることもできる。図８（Ｂ）に示す例では、Ａ３サイズの用紙をまとめて排紙したのち、Ａ４サイズの用紙をまとめて排紙する。
【０１０８】
このように、異なる排紙トレイに排紙するだけではなく、同じ排紙トレイ上で排紙位置をずらしたり、用紙サイズの違いを利用して排紙したりすることにより、用紙を用紙の種類ごとに仕分けして排出できるので、排紙トレイの個数が足りない場合に有効である。
【０１０９】
なお、上述した方法以外にも、用紙を仕分ける方法には、たとえば用紙の種類ごとにタブ紙やテープを間に挟み込む方法、横長／縦長の用紙を切り替えて排出する方法などがある。
【０１１０】
以上では、印刷システム１０００が前段印刷装置として機能する印刷装置１００Ａと追い刷り用印刷装置として機能する印刷装置１００Ｂおよび１００Ｃとを有する場合について説明した。しかしながら、印刷システム１０００が有する追い刷り用印刷装置の台数は２台に限定されることはなく、印刷システム１０００は３台以上の追い刷り用印刷装置を有してもよい。
【０１１１】
また、以上では、異なる給紙トレイに異なる用紙の種類が割り当てられる場合について説明した。しかしながら、異なる給紙トレイに同じ用紙の種類が割り当てられるように構成してもよい。たとえば、給紙トレイ５１および５２の両方にＡ４サイズの普通紙をセットし、給紙トレイ５３にＡ３サイズの普通紙をセットする場合を想定する。この場合、給紙トレイ５１の用紙を排紙トレイ６１に排紙し、給紙トレイ５２の用紙を排紙トレイ６２に排紙するように構成できる。あるいは、逆に給紙トレイ５１の用紙を排紙トレイ６２に排紙し、給紙トレイ５２の用紙を排紙トレイ６１に排紙するように構成してもよい。すなわち、用紙の種類が同じである場合、用紙を排出する先の排紙トレイ６１〜６３を給紙トレイ５１〜５３に応じて切り替えるように構成することが可能である。
【０１１２】
また、用紙の種類が同じである場合、用紙を排出する先の排紙トレイ６１〜６３上の位置を給紙トレイ５１〜５３に応じてずらすように構成することが可能である。
【０１１３】
さらに、用紙の種類が同じである場合、用紙を給紙トレイ５１〜５３ごとに仕分けしたのち、ソートして排紙するように構成することが可能である。
【０１１４】
以上のとおり構成される本実施形態の印刷装置１００Ａ〜１００Ｃは、下記の効果を奏する。
【０１１５】
印刷装置１００Ｂで追い刷りする場合、印刷装置１００Ａは、用紙の種類ごとに仕分けして排紙トレイ６１〜６３へ用紙を排出するので、オペレーターが用紙束を印刷装置１００Ａの排紙トレイ６１〜６３から印刷装置１００Ｂの給紙トレイ５１〜５３に移動し易くなる。その結果、オペレーターが用紙束を印刷装置１００Ａの排紙トレイ６１〜６３から適切な印刷装置１００Ｂの給紙トレイ５１〜５３へ迅速に移動させることが可能となる。
【０１１６】
また、印刷装置１００Ｃで追い刷りする場合、本実施形態の印刷装置１００Ｂは、用紙の種類ごとに仕分けして排紙トレイ６１〜６３へ用紙を排出するので、オペレーターが用紙束を印刷装置１００Ｂの排紙トレイ６１〜６３から印刷装置１００Ｃの給紙トレイ５１〜５３に移動し易くなる。その結果、オペレーターが用紙束を印刷装置１００Ｂの排紙トレイ６１〜６３から適切な印刷装置１００Ｃの給紙トレイ５１〜５３へ迅速に移動させることが可能となる。
【０１１７】
また、印刷装置１００Ｃは、最終段の印刷装置であり、追い刷り無に設定することにより、印刷された用紙を用紙の種類ごとに仕分けせずに排紙トレイ６１にまとめて排紙することができる。その結果、印刷装置１００Ｃの排紙トレイ６１には、原稿の印刷データと同じページ番号の順に排紙され、最終的な印刷物のページの順番が崩れることを防止できる。
【０１１８】
（第２の実施形態）
第１の実施形態では、前段印刷装置で共通部分画像を印刷したのち、追い刷り用印刷装置で追い刷り版画像を追い刷りする場合について説明した。第２の実施形態では、同一の印刷装置で複数回印刷することにより、印刷物の共通部分画像および追い刷り版画像を印刷する場合について説明する。なお、説明の重複を避けるため、第１の実施形態と同じ構成についてはその説明を省略する。
【０１１９】
以下、図９〜図１１を参照して、本実施形態の印刷装置について説明する。図９は本実施形態の印刷システムの全体構成を示す概略ブロック図であり、図１０および図１１は本実施形態の印刷装置の印刷処理を説明するためのフローチャートである。
【０１２０】
図９に示すように、本実施形態の印刷システム１００１は、印刷装置１００Ｄ、ネットワーク２００、およびＰＣ３００を有する。
【０１２１】
本実施形態の印刷装置１００Ｄは、前段印刷装置として印刷物の共通部分画像を印刷したのち、一部の構成の交換または追加、動作モードの変更などを実施することにより追い刷り用印刷装置として追い刷り版画像を印刷する。
【０１２２】
たとえば、印刷装置１００Ｄは、オペレーターがＣＭＹＫトナーボトルをクリアトナーボトルなどの特殊印刷用ボトルに交換することにより、追い刷り用印刷装置として機能する。
【０１２３】
また、印刷装置１００Ｄの定着部４０は、通常の用紙を定着するための通常モードに加えて、光沢紙または厚紙を定着するための光沢／厚紙モードを有する。これらの動作モードは、必要に応じてオペレーターによって変更されうる。印刷装置１００Ｄは、オペレーターが通常モードから光沢／厚紙モードに変更することにより、追い刷り用印刷装置として機能する。なお、通常、定着部４０の温度調整などには時間がかかるため、１つの印刷ジョブ中でこれらのモードは切り換えないことが好ましい。
【０１２４】
＜印刷装置の動作＞
次に、図１０を参照して、本実施形態の印刷装置の印刷処理について説明する。印刷装置１００Ｄの制御部８０は、制御プログラムにしたがって以下の手順を実行する。
【０１２５】
まず、印刷ジョブを受信する（ステップＳ２０１）。印刷装置１００Ｄは、ＰＣ３００から送信された印刷ジョブを受信し、制御部８０のＲＡＭ８４に一時的に保存する。印刷ジョブには、印刷装置１００Ｄの印刷設定と印刷装置１００Ｄで印刷される画像データとが含まれる。印刷ジョブの印刷設定および画像データの設定例を下記の表３に示す。
【０１２６】
表３に示すように、本実施形態では、印刷設定において、追い刷り回数ｎの初期値ｎｉおよび総印刷回数Ｎを指定することができる。追い刷り回数ｎの初期値ｎｉは、初回印刷ジョブ受信時のｎの値である。また、総印刷回数Ｎは、上記初期値ｎｉに共通部分画像の印刷回数の１回分を加えた値である。上記初期値ｎｉが１以上のとき追い刷り有であり、上記初期値ｎｉが０のとき追い刷り無である。追い刷り回数ｎの初期値ｎｉおよび総印刷回数Ｎは、ＰＣ３００のプリンタードライバーを通じて設定することができる。
【０１２７】
【表３】
2014084193.tif 000005
【０１２８】
また、画像データは、追い刷り有の場合、共通部分画像データおよび追い刷り版画像データを含む。表３に示す例では、追い刷り回数ｎの初期値ｎｉが２に設定され、画像データは共通部分画像データと追い刷り版画像１および刷り版画像２に対応する追い刷り版画像データとを含む。一方、追い刷り無の場合、画像データは、追い刷り版画像データを含まず、共通部分画像データのみを含む。
【０１２９】
次に、追い刷り回数設定ｎが１以上であるか否かを判断する（ステップＳ２０２）。印刷設定の追い刷り回数設定ｎが０である場合（ステップＳ２０２：ＮＯ）、印刷画像を生成する（ステップＳ２０３）。この場合、追い刷り無であるため、印刷装置１００Ｄは、共通部分画像データに対応する共通部分画像のみを生成する。
【０１３０】
次に、共通部分画像を形成する（ステップＳ２０４）。印刷装置１００Ｄは、生成された共通部分画像、すなわち追い刷り版画像以外の画像を用紙に形成する。なお、用紙は給紙トレイ５１〜５３に予め用紙の種類ごとに格納されている。たとえば、本実施形態では、給紙トレイ５１〜５３にそれぞれＡ４サイズの普通紙、Ａ４サイズの光沢紙、およびＡ３サイズの普通紙が予め格納されている。
【０１３１】
次に、後処理設定に従い後処理を実施する（ステップＳ２０５）。印刷装置１００Ｄは、画像が形成された用紙に印刷設定で設定された後処理を実施する。
【０１３２】
次に、用紙の種類ごとに仕分けせずに排紙トレイへ排紙する（ステップＳ２０６）。印刷装置１００Ｄは、後処理された用紙を用紙の種類ごとに仕分けせずに排紙トレイへ排紙する。そして、印刷装置１００Ｄは、処理を終了する。
【０１３３】
一方、印刷設定の追い刷り回数設定ｎが１以上である場合（ステップＳ２０２：ＹＥＳ）、印刷画像を生成する（ステップＳ２０７）。この場合、追い刷り有であるため、印刷装置１００Ｄは、印刷画像として、共通部分画像データに対応する共通部分画像と、追い刷り版画像データに対応する追い刷り版画像とを生成する。追い刷り回数ｎの初期値がｎｉの場合、追い刷り版画像１〜ｎｉの合計ｎｉ個の追い刷り版画像が生成される。表３に示す設定例の場合、ｎｉ＝２であるので、追い刷り版画像１および追い刷り版画像２が生成される。
【０１３４】
次に、追い刷り版画像および印刷設定を保存する（ステップＳ２０８）。追い刷り有に設定されている場合、本実施形態では、共通部分画像が最初に用紙に形成されたのちに追い刷り版画像が当該用紙に形成される。印刷装置１００Ｄは、後の印刷処理で使用するため、印刷設定と追い刷り版画像１および追い刷り版画像２とをＨＤＤ８３に保存する。なお、共通部分画像については、必要に応じて保存してもよい。
【０１３５】
次に、追い刷りの際に実行できない後処理の設定を保存する（ステップＳ２０９）。印刷装置１００Ｄは、印刷設定で設定された後処理設定のうち、追い刷り有の際に実行できない後処理の後処理設定を一時的に保存する。追い刷り有の際に実行できない後処理とは、追い刷りをする際に通紙できない処理などであり、たとえば折り処理、ステープル処理などが含まれる。
【０１３６】
次に、実行中のジョブ設定から追い刷り有の際に実行できない後処理の設定を解除する（ステップＳ２１０）。印刷装置１００Ｄは、実行中の印刷ジョブの印刷設定から追い刷り有の際に実行できない後処理の設定を解除することにより、当該追い刷り有の際に実行できない後処理の実行を保留する。なお、解除された後処理の設定は、後の処理で復元させることができるように制御部８０のＨＤＤ８３に保存される。
【０１３７】
次に、共通部分画像を形成する（ステップＳ２１１）。印刷装置１００Ｄは、共通部分画像、すなわち追い刷り版画像以外の画像を用紙に形成する。なお、用紙は給紙トレイ５１〜５３に予め用紙の種類ごとに格納されている。
【０１３８】
次に、後処理設定に従い後処理を実施する（ステップＳ２１２）。印刷装置１００Ｄは、印刷設定で設定された後処理設定のうち、追い刷り有の際に実行できない後処理設定を除く後処理設定の後処理を実施する。
【０１３９】
次に、用紙の種類ごとに仕分けして排紙トレイへ排紙する（ステップＳ２１３）。たとえば、本実施形態では、印刷装置１００Ｄは、Ａ４サイズの普通紙、Ａ４サイズの光沢紙、Ａ３サイズの普通紙を用紙の種類ごとに仕分けして排紙トレイ６１〜６３へそれぞれ排紙する。そして、図１１のステップＳ２１４の処理に移行する。
【０１４０】
図１１に示すように、まず、追い刷り印刷ジョブが選択されたか否かを判断する（ステップＳ２１４）。以下、印刷ジョブのうち追い刷りに関する印刷ジョブを追い刷り印刷ジョブと称する。印刷装置１００Ｄは、排紙トレイ６１〜６３への排紙が完了した場合、その旨をＰＣ３００に送信する。一方、ＰＣ３００は、排紙トレイ６１〜６３への排紙が完了した旨を受信すると、オペレーターに対して追い刷り印刷ジョブの選択を促すメッセージを画像出力部３１７の表示装置に表示する。給紙トレイ５１〜５３への用紙設定および印刷装置１００Ｄのトナーボトル交換または印刷モード変更が完了している場合、オペレーターは、入力操作部３１６を介して追い刷り印刷ジョブを選択する。そして、ＰＣ３００は、ネットワークＩ／Ｆ３１５を介して印刷装置１００Ｄに追い刷り印刷ジョブが選択された旨を送信するとともに追い刷り実行コマンドを送信する。
【０１４１】
なお、上記メッセージは、印刷装置１００Ｄの入出力部７０のタッチパネル・ディスプレイに表示されるように構成してもよい。この場合、印刷装置１００Ｄは、追い刷り印刷ジョブが選択されたか否かについてオペレーターに確認を促すメッセージを入出力部７０のタッチパネル・ディスプレイに表示する。給紙トレイ５１〜５３への用紙設定および印刷装置１００Ｄのトナーボトル交換または印刷モード変更が完了している場合、オペレーターは、上記タッチパネル・ディスプレイを介して印刷装置１００Ｄにその旨を入力する。
【０１４２】
追い刷り印刷ジョブが選択されていないと判断された場合（ステップＳ２１４：ＮＯ）、印刷装置１００Ｄは、追い刷り印刷ジョブの選択が完了するまで待ち続ける。一方、追い刷り印刷ジョブが選択されたと判断された場合（ステップＳ２１４：ＹＥＳ）、印刷装置１１０Ｄは、追い刷り実行コマンドを受信する（ステップＳ２１５）。ＰＣ３００は、印刷装置１００ＤのＨＤＤ８３に保存された印刷ジョブに対して追い刷りを実行する指令を送信する。印刷装置１００Ｄは、当該指令をＰＣ３００から受信する。なお、印刷装置１００Ｄの入出力部７０を介して印刷装置１００Ｄに追い刷り印刷ジョブの選択が完了した旨が入力された場合は、追い刷り実行コマンドの受信を省略できる。
【０１４３】
次に、追い刷り回数設定ｎが１より大きいか否かを判断する（ステップＳ２１６）。印刷設定の追い刷り回数設定ｎが１より大きい場合（ステップＳ２１６：ＹＥＳ）、印刷装置１００Ｄは、追い刷り版画像Ｎ−ｎを形成する（ステップＳ２１７）。
【０１４４】
次に、追い刷り回数設定ｎの値を１減算して保存する（ステップＳ２１８）。印刷装置１００Ｄの制御部８０は、追い刷りした回数をカウントするために追い刷り回数設定ｎの値を１減算して保存する。
【０１４５】
次に、用紙の種類ごとに仕分けして排紙トレイへ排紙する（ステップＳ２１９）。たとえば、本実施形態では、印刷装置１００Ｄは、Ａ４サイズの普通紙、Ａ４サイズの光沢紙、Ａ３サイズの普通紙を用紙の種類ごとに仕分けして排紙トレイ６１〜６３へそれぞれ排紙する。
【０１４６】
一方、印刷設定の追い刷り回数設定が１以下である場合（ステップＳ２１６：ＮＯ）、追い刷り有の際に実行できない後処理の設定を復元する（ステップＳ２２０）。印刷装置１００Ｄは、最後の追い刷りを実行中であるので、ステップＳ２１０において解除した追い刷り有の際に実行できない後処理の設定を復元する。
【０１４７】
次に、追い刷り版画像Ｎ−ｎを形成する（ステップＳ２２１）。印刷装置１００Ｄは、最後の追い刷り版画像Ｎ−ｎを形成する。
【０１４８】
次に、後処理設定に従い後処理を実施する（ステップＳ２２２）。印刷装置１００Ｄは、復元された追い刷り有の際に実行できない後処理を実施する。
【０１４９】
次に、用紙の種類ごとに仕分けせずに排紙トレイへ排紙する（ステップＳ２２３）。印刷装置１００Ｄは、後処理された用紙を用紙の種類ごとに仕分けせずに排紙トレイへ排出する。そして、印刷装置１００Ｄは、印刷処理を終了する。
【０１５０】
＜印刷手順の一例＞
以下、第１の実施形態の「印刷手順の一例」と同様に追い刷りを２回実施する場合を例示して本実施形態の印刷手順の一例を示す。
【０１５１】
まず、印刷装置１００Ｄの印刷に先立って、オペレーターは、印刷装置１００Ｄの給紙トレイ５１〜５３に印刷で使用する用紙をセットする。オペレーターは、たとえば、給紙トレイ５１〜５３にＡ４サイズの普通紙、Ａ４サイズの光沢紙、およびＡ３サイズの普通紙をそれぞれセットする。
【０１５２】
次に、オペレーターは、ＰＣ３００の入力操作部３１６を操作して、印刷装置１００Ｄで印刷する文書に関するアプリケーションから印刷装置１００Ｄのプリンタードライバーを実行し、上記文書の各ページの用紙サイズ、色、紙種について、たとえば表２に示すように設定する。また、印刷設定の追い刷り回数ｎの初期値ｎｉおよび総印刷回数Ｎを設定する。たとえば、表３に示すように、総印刷回数Ｎを３に設定し、追い刷り回数ｎの初期値ｎｉを２に設定する。
【０１５３】
次に、オペレーターは、アプリケーションから印刷を実行する。アプリケーションから印刷が実行されると、プリンタードライバーにより印刷ジョブが生成され、印刷装置１００Ｄに送信される。印刷装置１００Ｄに送信される印刷ジョブには、印刷装置１００Ｄの印刷設定と、印刷装置１００Ｄで印刷される共通部分画像、追い刷り版画像１および２の画像データとが含まれる。
【０１５４】
印刷装置１００Ｄは、印刷ジョブを受信し、上記印刷設定に基づいて上記共通部分画像を印刷する。また、追い刷り印刷ジョブと上記追い刷り版画像１および２の画像データは、後の印刷処理で使用するため、ＨＤＤ８３に保存される。そして、印刷装置１００Ｄは、上記共通部分画像が印刷された用紙を用紙の種類ごとに仕分けして排紙トレイに排出する。より具体的には、印刷装置１００Ｄの排紙トレイ６１〜６３には、印刷された用紙束がそれぞれＡ４サイズの普通紙、Ａ４サイズの光沢紙、およびＡ３サイズの普通紙ごとにページ番号順に排出される。
【０１５５】
次に、オペレーターは、印刷装置１００Ｄの排紙トレイ６１〜６３の用紙束をそのまま印刷装置１００Ｄの給紙トレイ５１〜５３にそれぞれ移動してセットする。したがって、印刷装置１００Ｄの給紙トレイ５１〜５３には、それぞれＡ４サイズの普通紙、Ａ４サイズの光沢紙、およびＡ３サイズの普通紙がセットされる。その結果、１回目の印刷における給紙トレイ５１〜５３と当該給紙トレイ５１〜５３に格納される用紙の種類との間の対応関係が、２回目の印刷でも維持される。
【０１５６】
次に、オペレーターは、追い刷りに対応するように印刷装置１００Ｄの構成を変更する。オペレーターは、追い刷りに対応するトナーボトルへの交換、印刷モードへの変更などを実施する。より具体的には、オペレーターは、たとえば、印刷装置１００ＤのＹＭＣＫトナーボトルをクリアボトルに交換する。
【０１５７】
次に、オペレーターは、印刷装置１００Ｄに保存されている未実行の追い刷り印刷ジョブを選択し、実行する。より具体的には、オペレーターは、入力操作部３１６を操作して、ＰＣ３００の表示装置に表示された２つの未実行の追い刷り印刷ジョブうちの一方を選択する。
【０１５８】
次に、印刷装置１００Ｄは、上記追い刷り印刷ジョブの印刷設定に基づいて上記追い刷り版画像１を印刷する。印刷装置１００Ｄは、後の印刷処理で再度追い刷りするので、印刷された用紙を用紙の種類ごとに仕分けして排紙トレイ６１〜６３に排紙する。
【０１５９】
次に、オペレーターは、印刷装置１００Ｄの排紙トレイ６１〜６３の用紙束をそのまま印刷装置１００Ｄの給紙トレイ５１〜５３にそれぞれ移動してセットする。
【０１６０】
次に、オペレーターは、次の追い刷りに対応するように印刷装置１００Ｄの構成を変更する。オペレーターは、追い刷りに対応するトナーボトルへの交換、印刷モードへの変更などを実施する。
【０１６１】
次に、オペレーターは、印刷装置１００Ｄに保存されている他方の未実行の追い刷り印刷ジョブを実行する。
【０１６２】
印刷装置１００Ｄは、上記追い刷り印刷ジョブの印刷設定に基づいて上記所定の追い刷り版画像２を印刷し、印刷された用紙を用紙の種類ごとに仕分けせずに排紙トレイ６１〜６３に排紙する。
【０１６３】
このように、本実施形態では、印刷装置１１０Ｄが追い刷りする場合、用紙の種類ごとに仕分けして排紙トレイ６１〜６３へ印刷した用紙を排出する。そして、排紙トレイ６１〜６３に排出された用紙束は、オペレーターによって給紙トレイ５１〜５３へ再度移動されてセットされる。これらの処理は、追い刷り回数ｎに応じて繰り返される。一方、印刷装置１１０Ｄが追い刷りしない場合、印刷装置１１０Ｄは用紙の種類ごとに仕分けせずに排紙トレイ６１へ印刷した用紙を排出する。したがって、最終の印刷工程において、排紙トレイ６１には、追い刷りされた用紙が表２に示すページ番号の順に排出される。
【０１６４】
以上のとおり構成される本実施形態の印刷装置１００Ｄは、第１の実施形態の効果に加えて以下の効果を奏する。
【０１６５】
本実施形態の印刷装置１００Ｄは、一部の構成を追加または変更するだけで前段印刷装置および追い刷り用印刷装置の機能を果たすことができる。したがって、複数の印刷装置を使用する必要がないので、印刷にかかる費用を削減することができる。
【０１６６】
（第３の実施形態）
第１の実施形態では、印刷ジョブ単位で追い刷りの有無を設定する場合について説明した。第３の実施形態では、ページ単位で追い刷りの有無を設定する場合について説明する。なお、説明の重複を避けるため、第１の実施形態と同じ構成についてはその説明を省略する。
【０１６７】
以下、図１２〜図１５を参照して、本実施形態の印刷装置について説明する。図１２は本実施形態の印刷システムの概略ブロック図であり、図１３は本実施形態の印刷装置の印刷処理を説明するためのフローチャートである。また、図１４は本実施形態の前段印刷装置の給紙トレイおよび排紙トレイの用紙の種類を説明する模式図であり、図１５は本実施形態の最終段印刷装置の給紙トレイおよび排紙トレイの用紙の種類を説明する模式図である。
【０１６８】
図１２に示すように、本実施形態の印刷システム１００２は、印刷装置１００Ｅ、印刷装置１００Ｆ、ネットワーク２００、およびＰＣ３００を有する。
【０１６９】
本実施形態の印刷装置１００Ｅは、前段印刷装置として、印刷物の共通部分画像を印刷する。また、印刷装置１００Ｆは、最終段印刷装置として、前段印刷装置で追い刷り有に設定されたページについて追い刷り版画像を印刷する。一方、印刷装置１００Ｆは、前段印刷装置で追い刷り無に設定されたページについては、追い刷りせずに排紙する。本実施形態では、印刷装置１００Ｅおよび印刷装置１００Ｆは、５つの給紙トレイ（給紙トレイＡ〜Ｅ）および４つの排紙トレイ（排紙トレイＡ〜Ｄ）を備える。
【０１７０】
＜印刷設定＞
本実施形態では、印刷装置１００Ｅおよび１００Ｆは、ＰＣ３００から送信される印刷ジョブをそれぞれ受信し、当該印刷ジョブに含まれる印刷設定に基づいて各々用紙に画像を印刷する。印刷装置１００Ｅの印刷設定の一例を下記の表４に示す。表４には、ページごとの追い刷り有無、パンチ、サイズ、色、給紙トレイ、穴あきについての印刷設定が示されている。
【０１７１】
【表４】
2014084193.tif 000006
【０１７２】
次に、印刷装置１００Ｆの印刷設定の一例を下記の表５に示す。表５には、ページごとのＺ折り、白紙挿入、サイズ、色、給紙トレイ、穴あきについての印刷設定が示されている。なお、白紙挿入の設定は、印刷済み、または印刷されていない白紙を挿入するための設定である。表５の例では、白紙挿入用の挿入紙は、給紙トレイＢにセットされており、１４ページ目の後ろで挿入される。また、「指定なし」は、追い刷りを実施しないため指定の必要がないことを示す。
【０１７３】
【表５】
2014084193.tif 000007
【０１７４】
＜前段印刷装置の動作＞
印刷装置１００Ｅの制御部８０は、制御プログラムにしたがって以下の手順を実行する。
【０１７５】
図１３に示すように、まず、印刷ジョブを受信する（ステップＳ３０１）。印刷装置１００Ｅは、ＰＣ３００から送信された印刷ジョブを受信する。当該印刷ジョブには、印刷装置１００Ｅで印刷される画像データおよび印刷設定が含まれている。
【０１７６】
次に、指定用紙に指定画像を形成する（ステップＳ３０２）。印刷装置１００Ｅは、上記印刷設定で指定された用紙に上記画像データに基づいて画像を形成する。
【０１７７】
次に、追い刷り有の用紙であるか否かを判断する（ステップＳ３０３）。印刷装置１００Ｅは、追い刷り有の用紙である場合（ステップＳ３０３：ＹＥＳ）、すなわち後続する印刷工程で当該用紙に再度画像を形成する場合、用紙の種類ごとに仕分けして排紙トレイへ排紙する（ステップＳ３０４）。そして、印刷装置１００Ｅは、印刷処理を終了する。なお、追い刷り有の用紙か否かの判断は、その他の印刷設定を考慮してなされる。たとえば両面設定されていて、２ページ目が追い刷り設定有であれば２ページ目も含めて、追い刷り設定有の用紙と判断する。また２ｉｎ１・両面設定されていて３ページ目が追い刷り設定有であれば１〜４ページは追い刷り設定有の用紙と判断する。
【０１７８】
一方、追い刷り無の用紙である場合（ステップＳ３０３：ＮＯ）、すなわち後続する印刷工程がない場合、用紙搬送に関係する用紙の種類である場合のみ用紙の種類ごとに仕分けして排紙トレイへ排紙する（ステップＳ３０５）。そして、印刷装置１００Ｅは、印刷処理を終了する。なお、上述したとおり、用紙搬送に関係する用紙の種類には、用紙のサイズ、給紙方向、坪量、タブ付などが含まれる。追い刷りされない用紙は、可能な限りまとめて排紙される。
【０１７９】
＜印刷手順の一例＞
まず、印刷装置１００Ｅの印刷に先立って、オペレーターは、印刷装置１００Ｅの給紙トレイＡ〜Ｅに印刷で使用する用紙を設定する。オペレーターは、たとえば、給紙トレイＡ〜ＥにＡ４サイズのピンク色の用紙、Ａ４サイズの赤色の用紙、Ａ４サイズのクリーム色の用紙、Ａ４サイズの白色の用紙、およびＡ３サイズの白色の用紙をそれぞれセットする。
【０１８０】
次に、オペレーターは、ＰＣ３００の入力操作部３１６を操作して、印刷装置１００Ｅで印刷する文書に関するアプリケーションから印刷装置１００Ｅのプリンタードライバーを実行し、上記文書のページごとの追い刷り有無、パンチ、サイズ、色、給紙トレイ、穴あきについて、たとえば表４に示すように設定する。
【０１８１】
次に、オペレーターがアプリケーションから印刷を実行すると、プリンタードライバーにより印刷ジョブが生成され、印刷装置１００Ｅに送信される。印刷装置１００Ｅに送信される印刷ジョブには、印刷装置１００Ｅの印刷設定および印刷装置１００Ｅで印刷される共通部分画像が含まれる。
【０１８２】
印刷装置１００Ｅは、印刷ジョブを受信し、上記印刷設定に基づいて共通部分画像を印刷する。そして、印刷装置１００Ｅは、追い刷り有に設定されている用紙について、印刷された用紙を用紙の種類ごとに仕分けして排紙トレイＢまたはＣへ排紙する。一方、追い刷り無に設定されている用紙については、用紙搬送に関係する用紙の種類である場合のみ用紙の種類ごとに仕分けして排紙トレイＡまたはＤへ排紙する。
【０１８３】
図１４に示すように、排紙トレイＡには、２，３，５，６，７，９，１０，１１，１２，１３，１４ページ目が排紙され、排紙トレイＢには、４ページ目が排紙され、排紙トレイＣには、１，１５ページ目が排紙され、排紙トレイＤには、８ページ目が排紙される。
【０１８４】
次に、オペレーターは、印刷装置１００Ｅの排紙トレイＡ〜Ｄの用紙束を印刷装置１００Ｆの給紙トレイＡ〜Ｅにそれぞれ移動してセットする。より具体的には、オペレーターは、印刷装置１００Ｅの排紙トレイＡの用紙束を印刷装置１００Ｆの給紙トレイＡに移動してセットし、印刷装置１００Ｅの排紙トレイＢの用紙束を印刷装置１００Ｆの給紙トレイＣに移動してセットし、印刷装置１００Ｅの排紙トレイＣの用紙束を印刷装置１００Ｆの給紙トレイＤに移動し、印刷装置１００Ｅの排紙トレイＤの用紙束を印刷装置１００Ｆの給紙トレイＥに移動してセットする。なお、印刷装置１００Ｆの給紙トレイＢには、印刷済み、または印刷されていない挿入紙がセットされており、当該挿入紙が１４ページ目の後ろに挿入される。
【０１８５】
次に、オペレーターは、ＰＣ３００の入力操作部３１６を操作して、印刷装置１００Ｆのプリンタードライバーを実行し、たとえば表５に示すように印刷設定する。
【０１８６】
次に、オペレーターがアプリケーションから印刷を実行すると、プリンタードライバーにより印刷ジョブが生成され、印刷装置１００Ｆに送信される。印刷装置１００Ｆに送信される印刷ジョブには、印刷装置１００Ｆの印刷設定および印刷装置１００Ｆによって追い刷りされる追い刷り版画像が含まれる。
【０１８７】
印刷装置１００Ｆは、印刷ジョブを受信し、上記印刷設定に基づいて上記追い刷り版画像を印刷する。より具体的には、給紙トレイＡおよびＢの用紙については追い刷りせずにそのまま排紙トレイＡに排出する。一方、給紙トレイＣ〜Ｄの用紙については上記追い刷り版画像を形成し、排紙トレイＡに排出する。なお、８ページ目のＡ３サイズの用紙については、Ｚ折りの後処理が施されたのちに排紙トレイＡに排紙される。したがって、印刷装置１００Ｆの排紙トレイＡには、表４および表５に示すページ番号の順に用紙が排出される。
【０１８８】
このように、本実施形態では、印刷装置１００Ｅの印刷設定で用紙ごとに追い刷りの有無が設定される。印刷装置１００Ｅは、追い刷り有の用紙の場合、用紙の種類ごとに仕分けして排紙トレイへ排紙する。一方、追い刷り無の用紙である場合、用紙搬送に関係する用紙の種類である場合のみ用紙の種類ごとに仕分けして排紙トレイへ排紙する。
【０１８９】
以上のとおり構成される本実施形態の印刷装置１００Ｅは、第１の実施形態の効果に加えて以下の効果を奏する。
【０１９０】
追い刷りの有無をページごとに設定することができるので、前段印刷装置で印刷された用紙について、指定された一部の用紙のみに追い刷りすることが可能である。
【０１９１】
以上のとおり、実施形態において、本発明の印刷装置、印刷システム、印刷装置の制御プログラム、および印刷装置の制御方法を説明した。しかしながら、本発明は、その技術思想の範囲内において当業者が適宜に追加、変形、および省略することができることはいうまでもない。
【０１９２】
たとえば、上述した第１〜第３の実施形態では、ＰＣから送信された印刷ジョブに含まれる共通部分画像および追い刷り版画像に基づいて、用紙に画像形成することについて説明した。しかしながら、用紙に画像形成する共通部分画像または追い刷り版画像として、印刷装置で直接読み取った画像やファクシミリなどで受信した画像を使用してもよい。
【符号の説明】
【０１９３】
１０  画像読取部、
２０  画像形成部、
３０  用紙搬送部、
４０  定着部、
５０  給紙部、
５１〜５３  給紙トレイ、
６０  排紙部、
６１〜６３  排紙トレイ、
７０  入出力部、
８０  制御部、
１００Ａ〜１００Ｆ  印刷装置、
２００  ネットワーク、
３００  ＰＣ、
１０００〜１００２  印刷システム。
【図１】
2014084193.tif 000008
【図２】
2014084193.tif 000009
【図３】
2014084193.tif 000010
【図４】
2014084193.tif 000011
【図５】
2014084193.tif 000012
【図６】
2014084193.tif 000013
【図８】
2014084193.tif 000014
【図９】
2014084193.tif 000015
【図１０】
2014084193.tif 000016
【図１１】
2014084193.tif 000017
【図１２】
2014084193.tif 000018
【図１３】
2014084193.tif 000019
【図１４】
2014084193.tif 000020
【図１５】
2014084193.tif 000021
【図７】
2014084193.tif 000022